(57)【要約】【課題】振動低減効果を十分に発揮することができるとともに、汎用性のある手持式動力工具用振動低減装置を提供する。【解決手段】粒状錘部材１４が振動可能に充填されたケース１１と、複数のケース１１を連結する連結部材１５とを備える。【選択図】図１
2014148010.tif 000002
【特許請求の範囲】
【請求項１】
粒状錘部材が振動可能に充填されたケースと、
複数の該ケースを連結する連結部材と、を備えることを特徴とする手持式動力工具用振動低減装置。
【請求項２】
前記ケースは、硬質部材からなることを特徴とする請求項１記載の手持式動力工具用振動低減装置。
【請求項３】
前記ケースと、前記連結部材とは一体として形成されていることを特徴とする請求項１又は２記載の手持式動力工具用振動低減装置。
【請求項４】
前記連結部材は平面状又は曲面状をなし、
該連結部材の一面には、複数の前記ケースが取付けられ、
該連結部材の他面は、手持式動力工具の手握部の外周部に取付けられることを特徴とする請求項１乃至３のいずれか１項記載の手持式動力工具用振動低減装置。
【請求項５】
前記連結部材は円筒状をなし、
該連結部材の内周面には、複数の前記ケースが取付けられ、
該連結部材の外周面は、手持式動力工具の手握部の内周部に取付けられることを特徴とする請求項１乃至３のいずれか１項記載の手持式動力工具用振動低減装置。
【請求項６】
前記連結部材は、複数の前記ケースを手持式動力工具の手握部に取付ける取付具であることを特徴とする請求項１又は２記載の手持式動力工具用振動低減装置。
【発明の詳細な説明】
【技術分野】
【０００１】
本発明は、刈払機やチェーンソー等の手持式動力工具に用いられる振動低減装置に関する。
【背景技術】
【０００２】
従来、刈払機やチェーンソー等の手持式動力工具の振動低減部材として、振動源である動力源とハンドルとの間に配置されるゴム等の軟質部材が知られている。この軟質部材によれば、材料の持つ柔らかな動きや形状等で振動を吸収することができる。しかし、この軟質部材では、広い範囲の周波数の振動を完全に吸収することはできないだけでなく、動力源と手持式動力工具本体との関係で、手持式動力工具本体の揺れが大きくなってしまう場合が生じる。
【０００３】
これに対し、文献１に示す振動低減装置が提案されている。この振動低減装置では、ハンドル（把手）の中空パイプ内に粒状錘部材が振動可能に充填されている。そのため、動力源からの振動エネルギーが粒状錘部材間の弾性変形、摩擦等のエネルギーに変換され、広い範囲の周波数の振動を吸収することができる。
【先行技術文献】
【特許文献】
【０００４】
【特許文献１】実開昭５７−１５０６４１号公報
【発明の概要】
【発明が解決しようとする課題】
【０００５】
しかし、上記特許文献１記載の振動低減装置では、ハンドル（把手）の中空パイプ内に大量の粒状錘部材が充填されていることから、下方の粒状錘部材の遊動性が上方の粒状錘部材の重量により低下し、振動低減装置全体としての振動低減効果が低下してしまう。また、この振動低減装置では、粒状錘部材の充填される位置がハンドル（把手）の中空パイプ内に限られているため、最も効果的な位置に振動低減装置を取付けることができない場合も生じるのみならず、いろいろな種類の手持式動力工具に用いることはできない。
【０００６】
本発明はかかる従来の問題点に鑑みてなされたものであり、振動低減効果を十分に発揮することができるとともに、汎用性のある手持式動力工具用振動低減装置を提供するものである。
【課題を解決するための手段】
【０００７】
上記の課題を解決するために、請求項１に係る手持式動力工具用振動低減装置は、粒状錘部材が振動可能に充填されたケースと、複数の該ケースを連結する連結部材とを備えることである。
【０００８】
請求項２に係る手持式動力工具用振動低減装置は、前記ケースは、硬質部材からなることである。
【０００９】
請求項３に係る手持式動力工具用振動低減装置は、前記ケースと、前記連結部材とは一体として形成されていることである。
【００１０】
請求項４に係る手持式動力工具用振動低減装置は、前記連結部材は平面状又は曲面状をなし、該連結部材の一面には、複数の前記ケースが取付けられ、該連結部材の他面は、手持式動力工具の手握部の外周部に取付けられることである。
【００１１】
請求項５に係る手持式動力工具用振動低減装置は、前記連結部材は円筒状をなし、該連結部材の内周面には、複数の前記ケースが取付けられ、該連結部材の外周面は、手持式動力工具の手握部の内周部に取付けられることである。
【００１２】
請求項６に係る手持式動力工具用振動低減装置は、前記連結部材は、複数の前記ケースを手持式動力工具の手握部に取付ける取付具であることである。
【発明の効果】
【００１３】
請求項１に係る手持式動力工具用振動低減装置においては、粒状錘部材が振動可能に充填された複数のケースと、これらのケースを連結する連結部材とを備えている。そのため、個々のケースには適量の粒状錘部材を充填することができ、すべての粒状錘部材の遊動性が適度に確保される。これにより、動力源からの振動エネルギーが効率よく粒状錘部材間の弾性変形、摩擦等のエネルギーに変換され、広い範囲の周波数の振動を確実に吸収することができる。また、この手持式動力工具用振動低減装置においては、連結部材を手持式動力工具の所望の位置に取付けることができるため、最も効果的に振動低減効果が得られる位置に振動低減装置を取付けることができる。したがって、この手持式動力工具用振動低減装置によれば、振動低減効果を十分に発揮することができるとともに、いろいろな種類の手持式動力工具に用いることができる。
【００１４】
請求項２に係る手持式動力工具用振動低減装置においては、ケースが硬質部材からなるため、ケースの内壁に当った粒状錘部材の振動エネルギーが打消されやすい。このケースの材質としては、硬質塩化ビニル、アルミニウム、スチール、ステンレス等を用いることができる。
【００１５】
請求項３に係る手持式動力工具用振動低減装置においては、ケースと連結部材とが一体として形成されているため、生産性を向上させることができる。
【００１６】
請求項４に係る手持式動力工具用振動低減装置においては、平面状又は曲面状の連結部材の一面に複数のケースが取付けられ、連結部材の他面が手持式動力工具の手握部の外周部に取付けられる。この連結部材を変形させることにより手持式動力工具用振動低減装置全体を変形させることが可能であれば、手握部の形状に合わせて振動低減装置を容易に取付けることができる。例えば、連結部材が複数のケースを鎖状、クローラー状等に連結すれば、手握部が曲がっている場合であっても、その外周部に連結部材を巻きつけることにより振動低減装置を容易に取付けることができる。また、手持式動力工具用振動低減装置の取付位置が一定の位置であれば、連結部材の他面の形状を手握部の外周部に合わせることにより、連結部材が変形できないものであってもよい。なお、振動低減装置を手握部の外周部に取付ける取付具として、針金、金属板、テープ、紐、ファスナー、ボルトナット等を用いることができる。また、本明細書において、「手握部」とは、ハンドル及びハンドル近傍の突起部分、棒状部分等をいう。
【００１７】
請求項５に係る手持式動力工具用振動低減装置においては、円筒状の連結部材の内周面に複数のケースが取付けられ、連結部材の外周面が手持式動力工具の手握部の内周部に取付けられる。そのため、手持式動力工具の外形に影響を与えることなく振動低減装置を取付けることができる。
【００１８】
請求項６に係る手持式動力工具用振動低減装置においては、複数のケースを手持式動力工具の手握部に取付ける取付具が連結部材を兼ねているため、別途連結部材を用意する必要がない。
【図面の簡単な説明】
【００１９】
【図１】実施形態１の振動低減装置の斜視図。
【図２】実施形態１の振動低減装置の断面図。
【図３】実施形態１の振動低減装置を取付けた手持式動力工具の斜視図。
【図４】実施形態２の振動低減装置の斜視図。
【図５】実施形態２の振動低減装置の断面図。
【図６】実施形態２の振動低減装置を取付けた手持式動力工具の斜視図。
【図７】実施形態３の振動低減装置の斜視図。
【図８】実施形態３の振動低減装置の断面図。
【図９】実施形態３の振動低減装置を取付けた手持式動力工具の斜視図。
【図１０】実施形態４の振動低減装置を取付けた手持式動力工具の斜視図。
【発明を実施するための形態】
【００２０】
本発明に係る手持式動力工具用振動低減装置（以下、振動低減装置という。）を具体化した実施形態１〜４を図面に基づいて以下に説明する。まず、実施形態１の振動低減装置について説明する。図１は実施形態１の振動低減装置１０の斜視図であり、図２は断面図である。図１及び図２に示すように、この振動低減装置１０は、ケース１１と連結部材１５とを有している。
【００２１】
ケース１１は円筒状の本体１２と蓋１３からなり、本体１２には粒状錘下部材１４が振動可能に充填されている。連結部材１５は帯状をなし、全周に亘って取付孔１６が一体として設けられている。この、取付孔１６には、取付具としての針金１７が嵌入されている。また、複数のケース１１が連結部材１５の一面の長手方向に立設されている。そして、本体１２と連結部材１５とは一体として形成されている。ここで、本体１２、蓋１３及び連結部材１５は軟質塩化ビニルからなっている。なお、本体１２、蓋１３及び連結部材１５の材質は軟質塩化ビニルに限られず、ポリエチレン、ゴム、シリコン、ウレタン等を採用してもよい。
【００２２】
また、図示しないが、ケース１１の本体１２及び蓋１３は硬質塩化ビニルからなる別部材で形成され、連結部材１５の一面の長手方向に固着されていてもよい。なお、ケース１１は硬質塩化ビニルに限られず、アルミニウム、スチール、ステンレス等を採用してもよい。
【００２３】
図３は、振動低減装置１０を取付けた刈払機の斜視図である。図３に示すように、振動低減装置１０は、手握部（ハンドル９１、及びハンドル９１近傍の操作棹９０）の外周部に取付けられる。この際、振動低減装置１０は、螺旋状に巻き付けられ、針金１７の塑性により巻き付け形状が維持されることにより、刈払機の所定の位置に固着される。なお、取付孔１６に嵌入された針金１７が取付具として用いられているが、別の取付方法を採用してもよい。例えば、取付孔１６を用いることなく、取付具として針金、金属板、テープ、紐、ファスナー等を採用し、連結部材１５の両端部分や中央部分を針金、金属板、テープ、紐、ファスナー等で縛り付ける等して、振動低減装置１０を固着させることもできる。
【００２４】
実施形態１の振動低減装置１０では、粒状錘部材１４が振動可能に充填された複数のケース１１と、これらのケース１１を連結する連結部材１５とを備えている。そのため、個々のケース１１には適量の粒状錘部材１４を充填することができ、すべての粒状錘部材１４の遊動性が適度に確保される。これにより、動力源からの振動エネルギーが効率よく粒状錘部材１４間の弾性変形、摩擦等のエネルギーに変換され、広い範囲の周波数の振動を確実に吸収することができる。また、この振動低減装置１０においては、連結部材１５を刈払機の所望の位置に取付けることができるため、最も効果的に振動低減効果が得られる位置に振動低減装置１０を取付けることができる。したがって、この振動低減装置１０によれば、振動低減効果を十分に発揮することができる。また、この振動低減装置１０は刈払機だけでなく、いろいろな種類の手持式動力工具に用いることができる。
【００２５】
また、この振動低減装置１０では、ケース１１と連結部材１５とが一体として形成されているため、生産性を向上させることができる。さらに、この振動低減装置１０では、帯状の連結部材１５の一面に複数のケース１１が取付けられ、連結部材１５の他面が刈払機の手握部（ハンドル９１、及びハンドル９１近傍の操作棹９０）の外周部に取付けられる。この連結部材１５は、帯状の軟質塩化ビニルからなるため、手握部の形状に合わせて巻き付けて振動低減装置１０を容易に取付けることができる。
【００２６】
次に、実施形態２の振動低減装置について説明する。図４は実施形態２の振動低減装置２０の斜視図であり、図５は断面図である。図４に示すように、この振動低減装置２０は、手握部（ハンドル９２、９３）の外周部に３個の振動低減装置２０が取付具としてのボルト２７、ナット２８により固着されている。
【００２７】
図５に示すように、振動低減装置２０は、ケース２１と連結部材２５とを有している。振動低減装置２０の軸方向にはケース２１が４個並設され、各ケース２１には粒状錘下部材２４が振動可能に充填されている。そして、連結部材２５は、手握部（ハンドル９２、９３）の外周部に合わせた曲面状をなし、各ケース２１を密閉するように連結している。このケース２１は硬質塩化ビニルからなり、連結部材２５はポリエチレンからなっている。なお、ケース２１の材質は硬質塩化ビニルに限られず、アルミニウム、スチール、ステンレス等を採用してもよい。また、連結部材２５の材質はポリエチレンに限られず、軟質塩化ビニル、ゴム、シリコン、ウレタン等を採用してもよい。
【００２８】
図６は、３個の振動低減装置２０を２箇所に取付けたチェーンソーの斜視図である。図６に示すように、振動低減装置２０は、ボルト２７、ナット２８により、手握部（ハンドル９２、９３）の外周部に取付けられる。なお、ボルト２７、ナット２８が取付具として用いられているが、別の取付方法を採用してもよい。例えば、取付具として針金、テープ、紐、ファスナー等を採用し、ケース２１を針金、テープ、紐、ファスナー等で縛り付ける等して、振動低減装置２０を固着させることもできる。
【００２９】
実施形態２の振動低減装置２０では、粒状錘部材２４が振動可能に充填された複数のケース２１と、これらのケース２１を連結する連結部材２５とを備えている。そのため、個々のケース２１には適量の粒状錘部材２４を充填することができ、すべての粒状錘部材２４の遊動性が適度に確保される。これにより、動力源からの振動エネルギーが効率よく粒状錘部材２４間の弾性変形、摩擦等のエネルギーに変換され、広い範囲の周波数の振動を確実に吸収することができる。また、この振動低減装置２０においては、連結部材２５をチェーンソーの所望の位置に取付けることができるため、最も効果的に振動低減効果が得られる位置に振動低減装置２０を取付けることができる。したがって、この振動低減装置２０によれば、振動低減効果を十分に発揮することができる。また、この振動低減装置２０はチェーンソーだけでなく、いろいろな種類の手持式動力工具に用いることができる。
【００３０】
また、この振動低減装置２０では、ケース２１が硬質部材である硬質塩化ビニルからなるため、ケース２１の内壁に当った粒状錘部材２４の振動エネルギーが打消されやすい。さらに、この振動低減装置２０では、手握部（ハンドル９２、９３）の外周部に合わせた曲面状の連結部材２５の一面に複数のケース２１が取付けられ、連結部材２５の他面がチェーンソーの手握部（ハンドル９２、９３）の外周部に取付けられる。この連結部材２５は、手握部（ハンドル９２、９３）の外周部に合わせた曲面状のポリエチレンからなるため、手握部（ハンドル９２、９３）の形状に合わせて容易に取付けることができる。
【００３１】
次に、実施形態３の振動低減装置について説明する。図７は実施形態３の振動低減装置３０の斜視図であり、図８は断面図である。また、図９は振動低減装置３０を取付けた刈払機の斜視図である。図７及び図８に示すように、この振動低減装置３０は、ケース３１、連結部材としての収納筒３５、及び取付具としてのキャップ３７を有している。
【００３２】
ケース３１は、蓋部及び底部を有する円筒状をなし、粒状錘下部材３４が振動可能に充填されている。収納筒３５は、有底円筒状をなし、４個のケース３１が収納される。キャップ３７は、振動低減装置３０を刈払機に固着させる取付具である。ただし、キャップ３７は、収納筒３５内でのケース３１の移動を規制する連結部材としての役割も果たしている。ここで、ケース３１、キャップ３７、及び収納筒３５は硬質塩化ビニルからなっている。図９に示すように、この振動低減装置３０は、手握部（ハンドル９４）内に取付けられる。なお、ケース３１、キャップ３７、及び収納筒３５の材質は硬質塩化ビニルに限られず、アルミニウム、スチール、ステンレス、ポリエチレン、ゴム、シリコン、ウレタン等を採用してもよい。
【００３３】
実施形態３の振動低減装置３０では、粒状錘部材３４が振動可能に充填された複数のケース３１と、これらのケース３１を連結する収納筒３５、キャップ３７を備えている。そのため、個々のケース３１には適量の粒状錘部材３４を充填することができ、すべての粒状錘部材３４の遊動性が適度に確保される。これにより、動力源からの振動エネルギーが効率よく粒状錘部材３４間の弾性変形、摩擦等のエネルギーに変換され、広い範囲の周波数の振動を確実に吸収することができる。また、この振動低減装置３０においては、効果的に振動低減効果が得られる位置に振動低減装置３０を取付けることができる。したがって、この振動低減装置３０によれば、振動低減効果を十分に発揮することができる。また、この振動低減装置３０は刈払機だけでなく、いろいろな種類の手持式動力工具に用いることができる。
【００３４】
また、この振動低減装置３０では、ケース３１が硬質部材である硬質塩化ビニルからなるため、ケース３１の内壁に当った粒状錘部材３４の振動エネルギーが打消されやすい。さらに、この振動低減装置３０では、円筒状の収納筒３５の内周面には４個の３１ケースが収納され、収納筒３５の外周面は、刈払機の手握部（ハンドル９４）の内周部に取付けられる。そのため、刈払機の外形に影響を与えることなく振動低減装置３０を取付けることができる。
【００３５】
次に、実施形態４の振動低減装置について説明する。実施形態４の振動低減装置は、実施形態３で用いたケース３１とキャップ３７とで振動低減装置４０が構成される。すなわち、図１０に示すように、複数のケース３１が刈払機の手握部（ハンドル９５）内に嵌入され、キャップ３７により手握部（ハンドル９５）内での移動が規制されるとともに、振動低減装置４０が刈払機に固着される。この場合、キャップ３７が取付具であるとともに連結部材である。
【００３６】
実施形態４の振動低減装置４０では、複数のケース３１を刈払機の手握部（ハンドル９５）に取付けるキャップ３７が連結部材を兼ねているため、別途連結部材を用意する必要がない。その他の効果は、実施形態３と略同様である。
【００３７】
以上、本発明の振動低減装置を実施形態１〜４に即して説明したが、本発明はこれらに制限されるものではなく、本発明の技術的思想に反しない限り、適宜変更して適用できることはいうまでもない。例えば、実施形態１〜４においては、手持式動力工具として刈払機及びチェーンソーを示したが、これらに限られず、ヘッジトリマ、電動ドリル等いろいろな種類の手持式動力工具が含まれる。
【符号の説明】
【００３８】
１１，２１，３１…ケース、１４，２４，３４…粒状錘部材、１５，２５，３５…連結部材、１７，２７，２８，３７…取付具（１７…針金、２７…ボルト、２８…ナット、３７…キャップ）、９０，９１，９２，９３，９４，９５…手握部（９０…操作棹、９１，９２，９３，９４，９５…ハンドル）。
【図１】
2014148010.tif 000003
【図２】
2014148010.tif 000004
【図３】
2014148010.tif 000005
【図４】
2014148010.tif 000006
【図５】
2014148010.tif 000007
【図６】
2014148010.tif 000008
【図７】
2014148010.tif 000009
【図８】
2014148010.tif 000010
【図９】
2014148010.tif 000011
【図１０】
2014148010.tif 000012